(57)【要約】【課題】  検査直前準備での入力処理及び検査画面への移行処理を円滑かつ確実に行う。【解決手段】  検査前にこれらの操作画面を用いて各検査時の機器の設定手順を予め設定値記憶手段１９に格納することができ、検査時には設定値記憶手段１９に格納した準備手順に従って、操作パネル７に準備画面の階層画面を展開し検査に必要な準備情報（例えば患者情報等）の設定を行い、その後、検査開始時及び検査中には内視鏡検査画面を操作パネル７に表示させ検査を実施する。【選択図】  図３
2005323887.tif 000002
【特許請求の範囲】
【請求項１】
医療検査を実施する複数の医療機器と、
前記医療機器を制御する医療機器制御装置と、
前記医療検査に必要な準備情報が設定可能な準備画面または前記医療検査が支援可能な検査画面を展開し、表示手段に表示させる画面展開手段と、
前記準備画面で前記準備情報を設定するための複数の準備設定画像の順位を指定する順位設定手段と、
前記順位設定手段が指定した前記順位を記憶する順位記憶手段と
を備えたことを特徴とする医療検査システム。
【請求項２】
前記画面展開手段が展開した前記準備画面または前記検査画面から移行させる画面を指定し記憶する連動画面展開設定手段
を備えたことを特徴とする請求項１に記載の医療検査システム。
【請求項３】
医療検査を実施する複数の医療機器と、前記医療機器を制御する医療機器制御装置とを制御する医療検査システムの制御方法において、
前記医療検査に必要な準備情報が設定可能な準備画面または前記医療検査が支援可能な検査画面を展開し、表示手段に表示させる画面展開工程と、
前記準備画面で前記準備情報を設定するための複数の準備設定画像の順位を指定する順位設定工程と、
前記順位設定手段が指定した前記順位を記憶する順位記憶工程と
を備えたことを特徴とする医療検査システムの制御方法。
【請求項４】
前記画面展開工程が展開した前記準備画面または前記検査画面から移行させる画面を指定し記憶する連動画面展開設定工程
を備えたことを特徴とする請求項３に記載の医療検査システムの制御方法。
【請求項５】
前記医療機器は、内視鏡装置を含むことを特徴とする請求項１または２に記載の医療検査システム。
【請求項６】
前記医療機器は、超音波内視鏡装置を含むことを特徴とする請求項１、２にまたは５に記載の医療検査システム。
【発明の詳細な説明】
【技術分野】
【０００１】
本発明は、複数の医療機器を制御して検査を実施する医療検査システムに関する。
【背景技術】
【０００２】
内視鏡を用いて内視鏡検査あるいは治療処置を行う場合においては、光源装置等の医療機器をラック等にまとめて内視鏡システムを構成したり、これらの装置を搭載したラックを組み合わせるなどして、内視鏡検査等を行うことが一般的である。
【０００３】
本出願人は、例えば特開平３−２８４２３０号公報において、複数の装置を１つの筐体内に収納し、これら複数の装置を集中制御する集中制御部と、複数の装置を集中的に操作する集中操作部とを備えた内視鏡システムを開示している。
【０００４】
このような内視鏡システムは、内視鏡を介して被検体へ照明光を供給するための光源装置、内視鏡からの画像信号を処理する映像信号処理装置（ビデオプロセッサあるいはビデオシステムセンタ）、内視鏡からの光学像を撮影する撮影装置、被検部位を焼灼して治療を行う焼灼装置（ヒートプローブ装置）、被検部位を切除する電気メス装置、内視鏡画像を表示する観察モニター、検査時に患者を載せるベッド等、多様な装置があり、これらの周辺機器を目的に合わせて組み合わせて構成されている。
【０００５】
そして、前記周辺機器を集中操作するための集中操作部として、各操作用のスイッチを表示する液晶ディスプレイ等の操作画面表示部、及び操作画面表示部上に配設されたタッチパネル等の入力検出部が設けられている。前記操作画面表示部には、操作画面が表示され、操作画面上の目的の操作スイッチを押す（あるいは触れる）と、タッチパネル上の押された位置が検出されて集中制御部へ操作指令が入力され、集中制御部により該当する装置の制御が行われるようになっている。
【０００６】
このように構成することにより、内視鏡による検査や治療処置の際に各周辺機器を集中的に操作、制御することができ、また各装置の動作状態を確認できるため、各装置の操作時における操作者の負担を軽減でき、操作性を向上できる。また、使用する装置が異なる場合においても、目的に応じて装置を組み合わせて内視鏡システムを構成でき、システムの構成に応じて各周辺機器を集中制御することができる。
【特許文献１】特開平３−２８４２３０号公報
【発明の開示】
【発明が解決しようとする課題】
【０００７】
しかしながら、従来の内視鏡システムでは、検査が開始された際に、検査準備として準備画面上で患者のデータの入力やビデオプロセッサの各種設定を各項目毎にマニュアルで行い、さらに検査画面の選択をマニュアルで行う必要があるため、検査直前準備での入力項目の確認及び検査画面への移行処理が煩雑化し、検査を確実かつ迅速に行うことが難しいといった問題がある。
【０００８】
本発明は、上記事情に鑑みてなされたものであり、検査直前準備での入力処理及び検査画面への移行処理を円滑かつ確実に行うことのできる医療検査システムを提供することを目的としている。
【課題を解決するための手段】
【０００９】
本発明の医療検査システムは、
医療検査を実施する複数の医療機器と、
前記医療機器を制御する医療機器制御装置と、
前記医療検査に必要な準備情報が設定可能な準備画面または前記医療検査が支援可能な検査画面を展開し、表示手段に表示させる画面展開手段と、
前記準備画面で前記準備情報を設定するための複数の準備設定画像の順位を指定する順位設定手段と、
前記順位設定手段が指定した前記順位を記憶する順位記憶手段と
を備えて構成される。
【発明の効果】
【００１０】
本発明によれば、検査直前準備での入力処理及び検査画面への移行処理を円滑かつ確実に行うことができるという効果がある。
【発明を実施するための最良の形態】
【００１１】
以下、図面を参照しながら本発明の実施例について述べる。
【実施例１】
【００１２】
図１ないし図３１は本発明の実施例１に係わり、図１は内視鏡システムの外観構成を示す図、図２は図１の内視鏡システムの制御系の構成を示すブロック図、図３は図２の操作パネルにより各周辺機器を制御する際の機能的構成を示すブロック図、図４は図２の内視鏡システム制御装置の機能構成を示す機能ブロック図、図５は図４の操作画面展開部で展開される画面を説明する説明図、図６は図５の準備画面を示す図、図７は図４の内視鏡システム制御装置による準備画面における連動準備機能の設定処理の流れを示すフローチャート、図８は図７の処理で展開される準備画面を示す第１の図、図９は図７の処理で展開される準備画面を示す第２の図、図１０は図７の処理で展開される準備画面を示す第３の図、図１１は図７の処理で展開される準備画面を示す第４の図、図１２は図７の処理で展開される準備画面を示す第５の図、図１３は図７の処理で展開される準備画面を示す第６の図、図１４は図７の処理で展開される準備画面を示す第７の図、図１５は図７の処理で展開される準備画面を示す第８の図、図１６は図４の内視鏡システム制御装置による操作画面における連動検査機能の設定処理の流れを示すフローチャート、図１７は図１６の処理で展開される内視鏡検査画面を示す第１の図、図１８は図１６の処理で展開される内視鏡検査画面を示す第２の図、図１９は図１６の処理で展開される内視鏡検査画面を示す第３の図、図２０は図１６の処理で展開される内視鏡検査画面を示す第４の図、図２１は図１６の処理で展開される超音波検査画面を示す第１の図、図２２は図１６の処理で展開される超音波検査画面を示す第２の図、図２３は図１６の処理で展開される超音波検査画面を示す第３の図、図２４は図４の内視鏡システム制御装置による検査時の処理の流れを示すフローチャート、図２５は図２４の処理で展開される準備画面を示す第１の図、図２６は図２４の処理で展開される準備画面を示す第２の図、図２７は図２４の処理で展開される準備画面を示す第３の図、図２８は図２４の処理で展開される準備画面を示す第４の図、図２９は図２４の処理で展開される内視鏡検査画面を示す図、図３０は図１７の内視鏡検査画面の変形例を示す図、図３１は図２１の超音波検査画面の変形例を示す図である。
【００１３】
（構成）
図１に示すように、本実施例を備えた内視鏡システム１は、システム本体２と、図示しない患者を載せるベッド３と、患者に対する内視鏡検査を行う内視鏡４と、内視鏡画像を表示する観察モニタ５とを備えて主要部が構成されている。
【００１４】
前記システム本体２には、内視鏡システム１の集中操作を行う内視鏡システム制御装置６（図２参照）と、この内視鏡システム制御装置６に接続され、制御指示入力操作等を行う操作パネル７及びフットスイッチ３１等とが設けられている。
【００１５】
また、システム本体２から上方に支柱が取り付けられ、内視鏡ハンガが形成されている。なお、ベッド３は、上下方向等に移動可能となっている。
【００１６】
内視鏡４は、患者等の体腔内に挿入される細長の挿入部８と、この挿入部８の後端に設けられた操作部９と、この操作部９から延出されたユニバーサルケーブル１０とを有する。
【００１７】
内視鏡４の操作部９における例えば後端付近にはフリーズ等の指示操作を行うことができるスコープスイッチ部１１が設けてある。また、内視鏡４のユニバーサルケーブル１０の端部のコネクタは、システム本体２内に収納された光源装置１２（図２参照）とビデオプロセッサ１３（図２参照）とに接続される。
【００１８】
図２に示すように、前記システム本体２内には、内視鏡４に対して、照明光を供給する光源装置１２と、内視鏡４の制御や画像信号の処理を行うビデオプロセッサ１３と、内視鏡４の管路系を介して送気・送水を行うポンプを備えた送気・送水装置１４等を収納可能である。
【００１９】
図２では、システム本体２を構成し、内視鏡周辺機器を集中制御する内視鏡システム制御装置６は、シリアルインタフェース（シリアルＩ／Ｆと略記）を制御するシリアルコントローラ１５及びパラレルインタフェース（パラレルＩ／Ｆと略記）を制御するパラレルコントローラ１６を介して内視鏡周辺機器を集中制御する構成にしている。また、内視鏡システム制御装置６には、さらに観察モニタ５が接続される。
【００２０】
内視鏡システム制御装置６とシリアルコントローラ１５を介したシリアルバス１７には、上述した光源装置１２、ビデオプロセッサ１３の他に、病変部位等を切除する電気メス装置２１、病変部位等を焼灼して治療を行うヒートプローブ装置（焼灼装置）２４、表示される内視鏡画像のハードコピーを得るビデオプリンタ２２、映像信号を記録するビデオテープレコーダ（ＶＴＲと略記）２３、表示される内視鏡画像を写真撮影する撮影装置２５等を接続することができる。
【００２１】
また、内視鏡システム制御装置６とパラレルコントローラ１６を介したパラレルバス１８には、上記操作パネル７、送気・送水装置１４の他に、映像信号をＲＧＢの映像信号に変換するＲＧＢエンコーダ２６が接続されている。
【００２２】
図１に示すように上記操作パネル７は、システム本体２の上部に設けられており、図２に示すように液晶ディスプレイ（ＬＣＤと略記）７ａ等の表示モニタからなる操作画面表示部と、この操作画面表示部上に密接して設けられた順位設定手段としての透明のタッチパネル７ｂ等による入力検出部とにより構成されている。
【００２３】
この表示モニタ（となるＬＣＤ７ａ）にシステム本体２内の周辺機器を操作するための操作スイッチを配置した操作画面を表示し、操作画面の操作スイッチの部分を押す（触れる）ことにより、タッチパネル７ｂによって指示入力操作を検出できるようにしている。ここでは、前記タッチパネル７ｂはマトリックス状に配置された多数の透明電極のスイッチで構成されており、タッチパネル７ｂをスキャンしてどの部分のスイッチが押されたか、スイッチの座標を検出するようになっている。
【００２４】
なお、順位設定手段としては、タッチパネル７ｂに限らず、図示はしないが、マウスやトラックボール等のポインティングデバイスや、マイク等を用いた音声認識手段によって構成しても良い。
【００２５】
図３はユーザが操作パネル７を操作することにより、各周辺機器を制御する際の機能的構成を示したものである。内視鏡システム制御装置６に対して（ユーザの操作により）操作パネル７から操作指示情報が送られると、内視鏡システム制御装置６は、シリアルコントローラ１５を介してシリアルバス１７に接続された該当する周辺機器へ制御信号を送出する。
【００２６】
シリアルバス１７には、光源用インターフェース（Ｉ／Ｆ）２７を介して光源装置１２が、ビデオプロセッサ用インターフェース（Ｉ／Ｆ）２８を介してビデオプロセッサ１３が、電気メス用インターフェース（Ｉ／Ｆ）２９を介して電気メス装置２１が、ヒートプローブ用インターフェース（Ｉ／Ｆ）３０を介してヒートプローブ装置２４がそれぞれ接続されており、各周辺機器は、内視鏡システム制御装置６からの制御信号によって集中制御される。
【００２７】
図３ではシリアルバス１７に接続された周辺機器の場合を示したが、パラレルバス１８に接続された周辺機器の場合もほぼ同様のものとなる。
【００２８】
上記操作パネル７には、画面選択エリア上に切換スイッチが表示され、画面上に操作スイッチ、操作状況や動作状態の表示などが設けられる。ここで、画面選択エリア上における切換スイッチを選択することによって、操作したい目的の装置の操作画面が瞬時に表示される。また、内視鏡システム制御装置６には、操作するユーザ毎の設定値等を記憶する順位記憶手段としての設定値記憶手段１９が接続されており、設定値記憶手段１９によりユーザ毎にそのユーザに適した設定値で周辺機器の設定を行えるようにしている。
【００２９】
このように上記内視鏡システム制御装置６は、この内視鏡システム制御装置６に接続された各周辺機器に対して制御信号の入出力を行い、周辺機器の動作を制御する。この場合、前記操作パネル７、あるいは内視鏡４の操作部９に設けられたスコープスイッチ部１１のスイッチまたはフットスイッチ３１のスイッチを操作することによって、内視鏡システム制御装置６に操作指示情報を送り、内視鏡システム制御装置６により対象の周辺機器に対して制御信号が送出されてその周辺機器の制御を行うようになる。
【００３０】
操作パネル７を操作した場合は、前述のように押されたタッチパネル７ｂのスイッチの座標を検出し、内視鏡システム制御装置６によりスイッチの座標と操作画面とを対応させて画面に表示された操作スイッチに該当する指示の制御信号を周辺機器へ送出する。なお、操作パネル７において、表示した操作画面に応じて、押されたスイッチの座標を基に該当する指示をコマンドとして内視鏡システム制御装置６へ送出し、内視鏡システム制御装置６より周辺機器へ制御信号を送出するようにしても良い。
【００３１】
内視鏡システム制御装置６は、図４に示すように、演算処理部６ａ、画面展開手段である操作画面展開部６ｂ、機能設定部６ｃの各機能部を有しており、操作画面展開部６ｂには、図５に示すように、内視鏡システム１の複数の周辺機器を制御するために機能別に分けられた複数の操作画面である、準備画面５０、内視鏡検査画面５１、超音波検査画面５２、処置装置画面５３、接続機器画面５４等が用意されている。これら操作画面は操作画面展開部６ｂにより展開され、前記操作パネル７に表示される。
【００３２】
そして、内視鏡システム制御装置６は、内視鏡システム１を操作する操作画面の例として、操作パネル７のＬＣＤ７ａに図６に示す準備画面５０を表示するようになっている。この準備画面５０は、例えば内視鏡システム１の準備時に表示して、内視鏡システム１の主要な準備を行えるようになっている。
【００３３】
また、検査前に予めこの準備画面５０で準備手順の設定が可能となっており、この準備手順を設定値記憶手段１９に格納することができるようになっている。
【００３４】
この準備画面５０には、ユーザ名表示エリア７１、接続機器電源表示エリア７２、準備開始／終了連動設定エリア７３、ベッド操作エリア７４、患者データ表示エリア７５、ビデオプロセッサ基本設定表示エリア７６、フットスイッチ設定表示エリア７７，記録先接続表示エリア７８、モニタ出力選択エリア７９、ユーザスイッチ表示エリア８０、画面選択エリア８１等が表示される。
【００３５】
また、操作パネル７には、準備画面５０の他に、上述したように、内視鏡使用時の各種設定・操作を行うための内視鏡検査画面５１、超音波内視鏡使用時に各種設定・操作を行うための超音波検査画面５２、ヒートプローブ装置２４や電気メス装置２１などの処置装置を操作するための処置装置画面５３、接続機器の設定をする接続機器画面５４等の複数の操作画面を表示できるようにしている。
【００３６】
これらの操作画面は、必要に応じて装置の設定スイッチや使用頻度の少ない操作スイッチを配置した他の操作画面を有しており、これらを階層構造として切り換えて操作を行うようになっている。前記内視鏡検査画面５１、超音波検査画面５２、処置装置画面５３、接続機器画面５４は、画面選択エリア上に表示された切換スイッチを選択することにより表示され、各種操作を行えるようになっている。
【００３７】
本実施例では、検査前にこれらの操作画面を用いて各検査時の機器の設定手順を予め設定値記憶手段１９に格納することができ、例えば検査時には設定値記憶手段１９に格納した準備手順に従って、操作パネル７に準備画面５０の階層画面を展開し検査に必要な準備情報（例えば患者情報等）の設定を行い、その後、検査開始時及び検査中には例えば内視鏡検査画面５１を操作パネル７に表示させ検査を実施する。
【００３８】
このようにすることで、検査時においては、設定値記憶手段１９に格納した準備手順に従って、準備画面５０において各種準備情報の入力ができるので、準備情報の入力が遅滞なく行えるばかりではなく、情報の入力漏れを防止することが可能となる。さらに本実施例では、準備情報の入力後には、連動して操作画面である、例えば内視鏡検査画面５１を操作パネル７に表示することができるので、検査時に準備画面５０から内視鏡検査画面５１を選択しなくても済み、また内視鏡検査画面５１を展開させた後、設定値記憶手段１９に格納した検査時設定情報を連動させて読み出し、各機器を設定することができる。
【００３９】
（作用）
まず、検査前に予め行う、準備画面５０による連動準備機能の設定処理の詳細を図６〜図１５を参照して説明する。
【００４０】
内視鏡システム制御装置６により図６に示す準備画面５０を操作パネル７に表示させる。そして、図７に示すように、ステップＳ１にてタッチパネル７ｂにより準備開始／終了連動設定エリア７３の連動設定スイッチ６２をユーザが押下すると、図８に示すように準備画面５０上に準備連動設定ウインドウ１００が重畳表示される。
【００４１】
ここで、画面選択エリア８１においては、準備画面であることを示す準備スイッチ６３がハイライト表示（図では斜線ハッチング表示）される。
【００４２】
また、この準備連動設定ウインドウ１００は、準備開始時画面連動エリア１０１、スイッチ連動順番エリア１０２、準備開始時連動機能エリア１０３、準備終了時連動機能エリア１０４とからなる。
【００４３】
準備開始時画面連動エリア１０１は、検査時における患者データ入力等の準備開始時に最初に展開させる初期準備画面を設定するエリアであって、ステップＳ２にて例えばタッチパネル７ｂにより準備開始時画面連動エリア１０１のユーザ選択スイッチ１１１を選択すると、図９に示すように、ユーザ選択スイッチ１１１がハイライト表示されると共に、スイッチ連動順番エリア１０２のユーザ選択スイッチ１１２もハイライト表示され、さらにユーザ選択スイッチ１１２上部に設けられている順番表示部１１３に連動表示順番を示す「１番目」が表示される。
【００４４】
これにより検査時における準備開始時は、準備画面５０に後述するユーザ選択ウインドウ２１１（図２７参照）が重畳表示された初期準備画面となり、このユーザ選択ウインドウによりユーザの選択が可能となる。
【００４５】
そして、ステップＳ３にて操作手順の設定を行う。詳細には、例えばスイッチ連動順番エリア１０２において、ユーザ選択スイッチ１１２によるユーザ選択ウインドウに続く連動画面を順次選択することで設定がなされ、図１０に示すように、ユーザ選択スイッチ１１２→キーボードスイッチ１１４→ホワイトバランススイッチ１１６→準備終了スイッチ１１８を順次選択することで、キーボードスイッチ１１４の順番表示部１１５に「２番目」、ホワイトバランススイッチ１１６の順番表示部１１７に「３番目」、準備終了スイッチ１１８の順番表示部１１９に「４番目」が表示される。
【００４６】
これにより検査時における準備での操作手順として、検査を実施する医師を選択するユーザ選択処理→キーボードによる患者データ入力処理→ビデオプロセッサにおけるホワイトバランス処理→準備終了処理が設定される。
【００４７】
なお、図１０では連動画面の選択をスイッチ連動順番エリア１０２に設けられてスイッチ配置の順番として説明したが、これに限らず、図１１に示すように、例えばユーザ選択スイッチ１１２→ホワイトバランススイッチ１１６→キーボードスイッチ１１４→準備終了スイッチ１１８というようにスイッチ配置に無関係に設定可能である。また、準備終了スイッチ１１８を設定すると、図１２に示すように、スイッチ連動順番エリア１０２のスイッチ配置をスイッチ連動順番に合わせて表示するようにしても良い。
【００４８】
次に、ステップＳ４にて準備開始時連動機能エリア１０３において、準備開始時に起動させる機能の設定を行う。図１３に示すように、例えば光源装置１２のランプを点灯させる機能であるランプ点灯スイッチ１２１及びビデオプロセッサ１３の電源をオンする機能であるCV電源ONスイッチ１２２が選択されると、ランプ点灯スイッチ１２１及びCV電源ONスイッチ１２２がハイライト表示される。
【００４９】
そして、ステップＳ５にて準備終了時連動機能エリア１０４において、準備終了時に起動させる機能の設定を行う。図１４に示すように、例えば光源装置１２のランプを消灯させる機能であるランプ消灯スイッチ１３１及びビデオプロセッサ１３の電源をオフする機能であるCV電源OFFスイッチ１３２が選択されると、ランプ消灯スイッチ１３１及びCV電源OFFスイッチ１３２がハイライト表示される。
【００５０】
次に、準備終了時連動機能エリア１０４において、ステップＳ６にて準備終了後に操作パネル７に連動表示させる操作画面の選択を行い、ステップＳ７にて準備終了後に開始する検査の選択を行う。図１５に示すように、準備終了後に操作パネル７に連動表示させる操作画面として内視鏡検査画面を指定する内視鏡検査画面スイッチ１３３及び準備終了後に開始する検査として内視鏡検査を指定する内視鏡検査開始スイッチ１３４が選択されると、内視鏡検査画面スイッチ１３３及び内視鏡検査開始スイッチ１３４がハイライト表示される。
【００５１】
そして、ステップＳ８にてタッチパネル７ｂにより準備開始／終了連動設定エリア７３の連動設定スイッチ６２が再度押下されると、上記の検査時における準備での準備手順、準備開始時に起動させる機能、準備終了時に起動させる機能及び準備終了後に操作パネル７に連動表示させる操作画面及び準備終了後に開始する検査が設定値記憶手段１９に格納・登録され、連動準備機能の設定処理を終了し、図６の表示の準備画面５０に戻る。
【００５２】
次に、検査前に予め行う、操作画面による連動検査機能の設定処理の詳細を図１６〜図２３を参照して説明する。以下、説明を簡略化するために、操作画面として内視鏡検査画面５１を例に説明する。
【００５３】
準備画面５０による連動準備機能の設定処理を終了し、図６の表示の準備画面５０において、画面選択エリア８１の内視鏡検査スイッチ６４が選択されると、図１６に示すような内視鏡検査画面５１が操作パネル７に表示され、内視鏡検査スイッチ６４がハイライト表示される。
【００５４】
内視鏡検査画面５１には、ユーザ名表示エリア７１、接続機器電源表示エリア７２、検査開始／終了連動設定エリア７３ａ、ベッド操作エリア７４、ビデオプロセッサ基本設定表示エリア７６、フットスイッチ設定表示エリア７７，記録先接続表示エリア７８、モニタ出力選択エリア７９、ユーザスイッチ表示エリア８０、画面選択エリア８１が表示され、さらにその他にモニタに表示する参照情報を指定する情報モニタ出力エリア１５１が表示される。なお、フットスイッチ設定表示エリア７７には、フットスイッチ３１のスイッチの他にスコープスイッチ部１１のスイッチも表示される。
【００５５】
図１７に示すように、ステップＳ１１にてタッチパネル７ｂにより検査開始／終了連動設定エリア７３ａの連動設定スイッチ６２ａをユーザが押下すると、図１８に示すように内視鏡検査画面５１上に検査連動設定ウインドウ１６０が重畳表示される。検査連動設定ウインドウ１６０は、検査開始時連動機能エリア１６１、検査終了時連動機能エリア１６２とからなる。
【００５６】
そして、図１９に示すように、ステップＳ１２にて検査開始時連動機能エリア１６１において検査開始時に起動させる機能の設定を行い、ステップＳ１３にて検査終了時連動機能エリア１６２において検査終了時に起動させる機能の設定を行う。
【００５７】
続いて、図２０に示すように、検査終了時連動機能エリア１６２において、ステップＳ１４にて検査終了後に操作パネル７に連動表示させる準備画面の選択を行い、ステップＳ１５にて検査終了後に開始する準備の選択を行う。図２０では、検査終了後に操作パネル７に連動表示させる準備画面を指定する準備画面スイッチ１７１及び検査終了後に開始する準備を指定する準備開始スイッチ１７２が選択され、準備画面スイッチ１７１及び準備開始スイッチ１７２がハイライト表示された状態を示す。
【００５８】
そして、ステップＳ１６にてタッチパネル７ｂにより準備開始／終了連動設定エリア７３ａの連動設定スイッチ６２ａが再度押下されると、上記の検査時における検査開始時に起動させる機能、検査終了時に起動させる機能及び検査終了後に操作パネル７に連動表示させる検査画面及び検査終了後に開始する準備が設定値記憶手段１９に格納・登録され、連動検査機能の設定処理を終了し、図１６の表示の内視鏡検査画面５１に戻る。
【００５９】
なお、上記では操作画面として内視鏡検査画面５１を例に説明したが、図２１に示す超音波検査画面５２においても同様な設定がなされる。
【００６０】
すなわち、図６の表示の準備画面５０において、画面選択エリア８１の超音波検査スイッチ６５が選択されると、図２１に示すような超音波検査画面５２が操作パネル７に表示され、超音波検査スイッチ６５がハイライト表示される。そして、超音波検査画面５２の連動設定スイッチ６２ａが押下されると、超音波検査画面５２に図２２に示すような検査連動設定ウインドウ１６０が重畳表示される。検査連動設定ウインドウ１６０にて所望の機能を選択し、図２３に示すように、準備画面スイッチ１７１及び準備開始スイッチ１７２を選択して、タッチパネル７ｂにより検査開始／終了連動設定エリア７３ａの連動設定スイッチ６２ａを再度押下することで、設定値記憶手段１９に格納・登録される。
【００６１】
次に、検査時の処理を図２４〜図３１を参照して説明する。図２４に示すように、ステップＳ２１にて図２５に示す準備画面５０が操作パネル７に表示され、ステップＳ２２にて準備画面５０における準備開始／終了連動設定エリア７３の準備開始・終了スイッチ２００が選択されると、検査が開始される。
【００６２】
そして、ステップＳ２３にて設定値記憶手段１９に検査時における準備での準備手順が設定（登録）済みかどうか判断し、（図７の処理による）準備手順が設定済みの場合にはステップＳ２４にて設定済みの準備手順に従った準備処理を実行し、ステップＳ２５に進み、準備手順が未設定の場合には、ステップＳ２６にて準備画面５０において準備設定項目をマニュアルにて入力しステップＳ２５に進む。
【００６３】
ここで、ステップＳ２４における具体的な処理を上記図７で説明した準備手順（ユーザ選択スイッチ１１２→キーボードスイッチ１１４→ホワイトバランススイッチ１１６）に基づき説明する。
【００６４】
ユーザ選択スイッチ１１２により設定されたユーザ選択処理では、図２６に示すように、準備開始／終了連動設定エリア７３のユーザ選択スイッチ２１０がハイライト表示され、さらに準備画面５０にユーザ選択ウインドウ２１１が重畳表示される。このユーザ選択ウインドウ２１１上で、例えば「オリンパス  タロウ」というユーザ選択アイコン２１２を選択すると、ユーザ名表示エリア７１に「オリンパス  タロウ」がユーザ名として表示され、キーボードスイッチ１１４により設定されたキーボード処理に移行する。
【００６５】
キーボードスイッチ１１４により設定されたキーボード処理では、図２７に示すように、ユーザ選択スイッチ２１０はノーマル表示となり、患者データ表示エリア７５のキーボードスイッチ２２０がハイライト表示され、さらに準備画面５０にキーボードウインドウ２２１が重畳表示される。このキーボードウインドウ２２１にて所望の文字キーを選択することで患者データ表示エリア７５の各項目に所望の情報（患者ID、患者氏名、生年月日、年齢、性別、医師名、コメント等の情報）を入力し、ホワイトバランススイッチ１１６により設定されたホワイトバランス処理に移行する。
【００６６】
ホワイトバランス処理では、上述したように、設定値記憶手段１９に例えばランプ点灯機能及びCV電源ON機能が登録されている場合には、図２８に示すように、準備開始／終了連動設定エリア７３のランプスイッチ１８１及び接続機器電源表示エリア７２のCV電源スイッチ１８０がハイライト表示され、これら機能が起動される。同時にホワイトバラン処理時の注意メッセージを表示するメッセージ吹き出し２３２が表示され、メッセージ吹き出し２３２による注意メッセージに従ってホワイトバランススイッチ２３３を押す。ホワイトバランススイッチ２３３が押されるとホワイトバランスが実行され、ホワイトバランススイッチ２３３がハイライト表示され、準備開始／終了連動設定エリア７３の準備開始・終了スイッチ２００を選択する。
【００６７】
次に、図２４のステップＳ２５にて設定値記憶手段１９に準備終了後に表示する操作画面が設定済みかどうか判断し、操作画面が設定済みの場合にはステップＳ２７にて設定された操作画面を表示しステップＳ２８に移行し、また操作画面が未設定の場合にはステップＳ２９にて準備画面５０の画面選択エリア８１にて操作画面をマニュアルで選択してステップＳ２８に移行する。
【００６８】
そして、ステップＳ２８にて準備終了後に開始する検査が設定値記憶手段１９に設定済みかどうか判断し、検査が設定済みの場合にはステップＳ３０に進み、検査が未設定の場合にはステップＳ２９にて操作画面で各設定項目をマニュアルで入力しステップＳ３０に進む。
【００６９】
そして、ステップＳ３０にて、例えば操作画面としての内視鏡検査画面５１を表示して検査を開始し、ステップＳ３２にて検査を実行した後、ステップＳ３３にて検査を終了してステップＳ３４に進む。
【００７０】
具体的には例えば、ステップＳ３０での検査開始時は、設定値記憶手段１９に設定されている検査開始時に起動させる機能が機能設定部６ｃにより各機器に設定され、例えば光源装置１２のランプを点灯させ、ビデオプロセッサ１３の電源をオンさせると同時に、図２９に示すように、内視鏡検査画面５１において、準備開始／終了連動設定エリア７３のランプスイッチ１８１及び接続機器電源表示エリア７２のCV電源スイッチ１８０がハイライト表示される。
【００７１】
また、ステップＳ３２で、図２９に示すように、内視鏡検査画面５１において検査開始／終了連動設定エリア７３ａの検査開始・終了スイッチ２５０を選択し、検査開始・終了スイッチ２５０をハイライト表示して検査を行う。
【００７２】
そして、検査を実行した後、ステップＳ３３にて検査開始／終了連動設定エリア７３ａの検査開始・終了スイッチ２５０を再度選択し、検査を終了する。
【００７３】
ステップＳ３４では、設定値記憶手段１９に検査終了後に表示する準備画面５０が設定済みかどうか判断し、設定済みの場合にはステップＳ３５にて準備画面５０を表示しステップＳ３６に進み、未設定の場合にはステップＳ３７にて操作画面（内視鏡検査画面５１）の画面選択エリア８１にて準備画面をマニュアルで選択してステップＳ３６に進む。
【００７４】
そして、ステップＳ３６にて設定値記憶手段１９に検査終了時に準備開始が設定されているどうか判断し、設定済みの場合にはステップＳ２３に戻り、設定の場合にはステップＳ２２に戻る。
【００７５】
（効果）
このように本実施例によれば、検査前に、検査での複数の各種項目の入力設定の手順（準備手順）を予め設定・登録を設定値記憶手段１９に行うことができ、かつ検査時の準備段階で登録した準備手順を順次展開できるので、入力項目の入力が容易になるだけでなく、入力漏れを確実に防止することができる。
【００７６】
さらに、検査時における準備段階から検査段階に至る際に、準備画面から操作画面に自動的に表示を移行することが可能で、かつ準備画面及び操作画面での設定が自動的に行うことができるので、検査時において検査のみに集中でき、検査を確実、かつ効率的に行うことが可能となる。
【００７７】
なお、準備画面５０の背景色（例えば白色）に対して、図３０に示すように色が異なる背景色（例えば青色）を有する内視鏡検査画面５１としてもよく、さらに図３１に示すようにこれらとは異なる背景色（例えば紫色）の超音波検査画面５２としてもよい。
【００７８】
本発明は、上述した実施例に限定されるものではなく、本発明の要旨を変えない範囲において、種々の変更、改変等が可能である。
【図面の簡単な説明】
【００７９】
【図１】本発明の実施例１に係る内視鏡システムの外観構成を示す図
【図２】図１の内視鏡システムの制御系の構成を示すブロック図
【図３】図２の操作パネルにより各周辺機器を制御する際の機能的構成を示すブロック図
【図４】図２の内視鏡システム制御装置の機能構成を示す機能ブロック図
【図５】図４の操作画面展開部で展開される画面を説明する説明図
【図６】図５の準備画面を示す図
【図７】図４の内視鏡システム制御装置による準備画面における連動準備機能の設定処理の流れを示すフローチャート
【図８】図７の処理で展開される準備画面を示す第１の図
【図９】図７の処理で展開される準備画面を示す第２の図
【図１０】図７の処理で展開される準備画面を示す第３の図
【図１１】図７の処理で展開される準備画面を示す第４の図
【図１２】図７の処理で展開される準備画面を示す第５の図
【図１３】図７の処理で展開される準備画面を示す第６の図
【図１４】図７の処理で展開される準備画面を示す第７の図
【図１５】図７の処理で展開される準備画面を示す第８の図
【図１６】図４の内視鏡システム制御装置による操作画面における連動検査機能の設定処理の流れを示すフローチャート
【図１７】図１６の処理で展開される内視鏡検査画面を示す第１の図
【図１８】図１６の処理で展開される内視鏡検査画面を示す第２の図
【図１９】図１６の処理で展開される内視鏡検査画面を示す第３の図
【図２０】図１６の処理で展開される内視鏡検査画面を示す第４の図
【図２１】図１６の処理で展開される超音波検査画面を示す第１の図
【図２２】図１６の処理で展開される超音波検査画面を示す第２の図
【図２３】図１６の処理で展開される超音波検査画面を示す第３の図
【図２４】図４の内視鏡システム制御装置による検査時の処理の流れを示すフローチャート
【図２５】図２４の処理で展開される準備画面を示す第１の図
【図２６】図２４の処理で展開される準備画面を示す第２の図
【図２７】図２４の処理で展開される準備画面を示す第３の図
【図２８】図２４の処理で展開される準備画面を示す第４の図
【図２９】図２４の処理で展開される内視鏡検査画面を示す図
【図３０】図１７の内視鏡検査画面の変形例を示す図
【図３１】図２１の超音波検査画面の変形例を示す図
【符号の説明】
【００８０】
１…内視鏡システム
２…システム本体
３…ベッド
４…内視鏡
５…観察モニタ
６…内視鏡システム制御装置
６ａ…演算処理部
６ｂ…操作画面展開部
６ｃ…機能設定部
７…操作パネル
８…挿入部
９…操作部
１２…光源装置
１３…ビデオプロセッサ
１４…送気・送水装置
１９…設定値記憶手段
２１…電気メス装置
２２…ヒートプローブ装置
２３…ＶＴＲ
２４…撮影装置
５０…準備画面
５１…内視鏡検査画面
５２…超音波検査画面
５３…処置装置画面
５４…接続機器画面
代理人    弁理士    伊藤  進
【図１】
2005323887.tif 000003
【図２】
2005323887.tif 000004
【図３】
2005323887.tif 000005
【図４】
2005323887.tif 000006
【図５】
2005323887.tif 000007
【図６】
2005323887.tif 000008
【図７】
2005323887.tif 000009
【図８】
2005323887.tif 000010
【図９】
2005323887.tif 000011
【図１０】
2005323887.tif 000012
【図１１】
2005323887.tif 000013
【図１２】
2005323887.tif 000014
【図１３】
2005323887.tif 000015
【図１４】
2005323887.tif 000016
【図１５】
2005323887.tif 000017
【図１６】
2005323887.tif 000018
【図１７】
2005323887.tif 000019
【図１８】
2005323887.tif 000020
【図１９】
2005323887.tif 000021
【図２０】
2005323887.tif 000022
【図２１】
2005323887.tif 000023
【図２２】
2005323887.tif 000024
【図２３】
2005323887.tif 000025
【図２４】
2005323887.tif 000026
【図２５】
2005323887.tif 000027
【図２６】
2005323887.tif 000028
【図２７】
2005323887.tif 000029
【図２８】
2005323887.tif 000030
【図２９】
2005323887.tif 000031
【図３０】
2005323887.tif 000032
【図３１】
2005323887.tif 000033